(57)【要約】      （修正有）【課題】屋根部材の取付け固定作業を、屋根の下方内側から簡易になし得ることができ、その作業の安全性及び作業性の良化向上を図るとともに、屋根全体の構造を大幅に変えることなく、価格増の抑制を図る。【解決手段】垂木掛け部材と、垂木掛け部材の前方に横架される前枠部材と、垂木掛け部材と前枠部材とに掛装される妻垂木部材５及び複数の中間垂木部材６と、各部材と間に配設される屋根部材７とからなり、屋根部材の両端部が妻垂木部材及び中間垂木部材と屋根押え部材とにより上下方向から挟持されるテラス等の屋根であって、妻垂木部材５又は中間垂木部材６を幅方向の左右に２分割し、一方側の妻垂木部材又は中間垂木部材６Aに屋根部材７を上面から固止する屋根押え部材を予め取付け、他方側の妻垂木部材又は中間垂木部材６Ｂは、屋根押え部材とにより屋根部材７を挟持しかつ屋根部材７の下方から一体状に組付け可能としたものである。【選択図】図４
2005256554.tif 000002
【特許請求の範囲】
【請求項１】
垂木掛け部材と、該垂木掛け部材の前方に所定の間隔をおいて平行状に横架される前枠部材と、該垂木掛け部材と前枠部材との両端部間に掛装される両側の妻垂木部材と、該両側の妻垂木部材間における前記垂木掛け部材と前枠部材との間に掛装される複数の中間垂木部材と、前記垂木掛け部材と前枠部材と妻垂木部材と中間垂木部材とで形成される空間または該垂木掛け部材と前枠部材と両中間垂木部材とで形成される空間に配設される屋根部材とからなり、少なくとも屋根部材の両端部が妻垂木部材及び中間垂木部材と上方からの屋根押え部材とにより上下方向から挟持されるテラス等の屋根であって、
前記屋根部材の側端部に対応する妻垂木部材または中間垂木部材をその幅方向の左右に２分割状に形成し、屋根部材の取付けに際して、２分割した一方側の妻垂木部材または中間垂木部材に屋根部材を上面から固止する屋根押え部材を予め取付けるとともに、該屋根部材の両端部を妻垂木部材または中間垂木部材の屋根押え部材の下方に位置させた状態において前記２分割した他方側の妻垂木部材または中間垂木部材は、前記屋根押え部材とにより屋根部材を上下方向から挟持しかつ前記一方側の妻垂木部材または中間垂木部材に対して該屋根部材の下方から一体状に組付け可能としたことを特徴とするテラス等の屋根。
【請求項２】
請求項１記載のテラス等の屋根であって、２分割された一方側の前記妻垂木部材または中間垂木部材には、上部に屋根押え部材を取付け固止する取付け部が形成され、他方側の前記妻垂木部材または中間垂木部材には、上部に前記屋根部材の裏面に接するビート部材が設けられていることを特徴とするテラス等の屋根。
【請求項３】
請求項１または２記載のテラス等の屋根であって、前記妻垂木部材または中間垂木部材の分割面には、一方側の妻垂木部材または中間垂木部材と他方側の妻垂木部材または中間垂木部材との接合状態において他方側の妻垂木部材または中間垂木部材の下方側への移動を規制する規制部を形成したことを特徴とするテラス等の屋根。
【発明の詳細な説明】
【技術分野】
【０００１】
本発明は、建屋のテラスやバルコニー或いはカーポート等（これらを総称してテラス等という。）に設置されるテラス等の屋根に関する。
【背景技術】
【０００２】
一般に、この種のテラス等の屋根にあっては、建屋に対して屋根を構成する垂木掛け部材、前枠部材、妻垂木部材、中間垂木部材の各部材を所定の手段により枠組みして組付け、そして、この枠組みした所定の部位に屋根部材を配設して該屋根部材をその上方からの作業により前記各部材の上面に固定するように構成されており、例えば、一階のベランダ等に設置される前記屋根においては、その設置個所の周囲に足場等を組むことができ、作業者がその足場を利用して前記各部材を枠組みして組付けるとともに、とくに、屋根部材を前記各部材の上面（屋根部材の上方）から固定することが容易にでき、その施工の安全性及び作業性の良化を図ることができる。
しかし、建屋の2階以上に設けられるテラスやバルコニー等に設置される屋根においては、施工費等の関係から往々にして前記足場等を組むことが実施されず、その施工作業にあって作業者は、前記各部材を枠組みして組付ける場合には脚立等の簡易足場を利用して行うことができるが、屋根部材を前記各部材に対する屋根部材の固定する場合には屋根部材の下方からはその作業ができず、結局、テラスやバルコニー等の外側に身を乗り出して屋根部材の上方から固定作業を行っているのが現状であり、その施工の安全性及び作業性が損なわれる問題点を惹起していた。
そして、前記した問題点を解消するために、枠組みされた各部材に対し、屋根部材をその屋根部材の下方側（下側）から取付け固定の作業ができる構造の屋根、すなわち、垂木の上面に両側に屋根パネルの端部を載置し、この垂木に対して上方から該屋根パネルを押える押え部材を該垂木に下方からねじ込まれた取付けねじ手段によって垂木上面側に引き寄せて、この押え部材と垂木上面により屋根パネルを挟持するようにした構造のものが案出されている（特許文献１）。また、別の構造のものとして、屋根パネルの四周を枠材により枠組みして単位屋根体を形成し、該単位屋根体を屋根受け材と桁材との間に複数並設し、この単位屋根体の両側の枠体を妻垂木部材、中間垂木部材として構成し、その組付け作業を下方から行う構造のものが案出されている（特許文献２）。
【特許文献１】特開平１０−１１５０５２号
【特許文献２】実開平５−７１３２３号
【発明の開示】
【発明が解決しようとする課題】
【０００３】
しかしながら、上記した前者の構造のものにあっては、その施工に際し、押え部材を取付けねじ手段によっていちいち垂木側に引き寄せしなければならず、その作業を非常に面倒なものとしており、また後者の構造のものにあっては、屋根パネルの四周を枠材により枠組みして単位屋根体を形成するもので、その枠材により単位屋根体の重量が嵩み、いずれも作業者が下方から作業することからすれば、その作業性の悪化を招来するという新たな問題点が生じていた。
また、上記のように、作業者が下方から作業（施工）する構造であるがために、その製品全体として価格増になったり、施工後の屋根として外観上希望する屋根と異なるものになってしまうことも避けなければならないものであった。
そこで、本発明は、屋根部材の取付け固定作業を、屋根の下方内側から簡易になし得ることができ、その作業の安全性及び作業性の良化向上を図るとともに、屋根全体の構造を大幅に変えることなく、価格増の抑制を図ることができるテラス用の屋根を提供することを目的とする。
【課題を解決するための手段】
【０００４】
上記した課題は、各請求項記載の発明によって解決される。
請求項１記載の発明は、垂木掛け部材と、該垂木掛け部材の前方に所定の間隔をおいて平行状に横架される前枠部材と、該垂木掛け部材と前枠部材との両端部間に掛装される両側の妻垂木部材と、該両側の妻垂木部材間における前記垂木掛け部材と前枠部材との間に掛装される複数の中間垂木部材と、前記垂木掛け部材と前枠部材と妻垂木部材と中間垂木部材とで形成される空間または該垂木掛け部材と前枠部材と両中間垂木部材とで形成される空間に配設される屋根部材とからなり、少なくとも屋根部材の両端部が妻垂木部材及び中間垂木部材と上方からの屋根押え部材とにより上下方向から挟持されるテラス等の屋根であって、
前記屋根部材の側端部に対応する妻垂木部材または中間垂木部材をその幅方向の左右に２分割状に形成し、屋根部材の取付けに際して、２分割した一方側の妻垂木部材または中間垂木部材に屋根部材を上面から固止する屋根押え部材を予め取付けるとともに、該屋根部材の両端部を妻垂木部材または中間垂木部材の屋根押え部材の下方に位置させた状態において前記２分割した他方側の妻垂木部材または中間垂木部材は、前記屋根押え部材とにより屋根部材を上下方向から挟持しかつ前記一方側の妻垂木部材または中間垂木部材に対して該屋根部材の下方から一体状に組付け可能としたことを特徴とする。
【０００５】
この発明によれば、屋根部材の取付けに際して、２分割した一方側の妻垂木部材または中間垂木部材に屋根部材を上面から固止する屋根押え部材を予め取付けるとともに、該屋根部材の両端部を妻垂木部材または中間垂木部材の屋根押え部材の下方に位置させた状態において２分割した他方側の妻垂木部材または中間垂木部材によって、前記屋根押え部材とともに屋根部材を上下方向から挟持しかつこの他方側の妻垂木部材または中間垂木部材を前記一方側の妻垂木部材または中間垂木部材に対して該屋根部材の下方から一体状に組付けることができる。すなわち、単に、他方側の妻垂木部材または中間垂木部材を、一方側の妻垂木部材または中間垂木部材に組付けるという作業によって屋根部材を取付け固定することができ、その作業を屋根の下方内側から簡易にし得、作業の安全性及び作業性の良化向上を図ることができる。このことは、例えば、複数枚の屋根部材を組合わせて構成される屋根にあっては、その１枚分に対応する箇所のみ前記のように下方内側から施工し得，屋根全体の構造を大幅に変えることなく、価格増の抑制を図ることができる。作業の安全性及び作業性の良化向上を図ることができる。
【０００６】
請求項２記載の発明は、請求項１記載のテラス等の屋根であって、２分割された一方側の前記妻垂木部材または中間垂木部材には、上部に屋根押え部材を取付け固止する取付け部が形成され、他方側の前記妻垂木部材または中間垂木部材には、上部に前記屋根部材の裏面に接するビート部材が設けられていることを特徴とする。
【０００７】
この発明によれば、前記請求項１に加え、中間垂木部材の上部にビート部材を設けたことにより、屋根部材の取付け固定後にいちいちビート部材を取付けなくてもよく、そのビート部材を取付け作業の合理化を図ることができ、さらなる作業性の良化向上を図ることができる。
【０００８】
請求項３記載の発明は、請求項１または２記載のテラス等の屋根であって、前記妻垂木部材または中間垂木部材の分割面には、一方側の妻垂木部材または中間垂木部材と他方側の妻垂木部材または中間垂木部材との接合状態において他方側の妻垂木部材または中間垂木部材の下方側への移動を規制する規制部を形成したことを特徴とする。
【０００９】
この発明によれば、前記妻垂木部材または中間垂木部材の分割面に形成した規制部によって、一方側の妻垂木部材または中間垂木部材に対する他方側の妻垂木部材または中間垂木部材を簡易に一体的に組付けることができ、より一層の作業性の良化向上を図ることができる。
【発明の効果】
【００１０】
本発明によれば、屋根部材の取付け固定作業を、屋根の下方内側から簡易になし得ることができ、その作業の安全性及び作業性の良化向上を図ることができるとともに、屋根全体の構造を大幅に変えることなく、価格増の抑制を図ることができる。
【発明を実施するための最良の形態】
【００１１】
次に、本発明を実施するための最良の形態について、実施例にしたがって説明する。
【実施例】
【００１２】
以下、図１〜図５に基づいて本発明に係るテラス用の屋根に適用した例を説明する。
【００１３】
図１において、テラス用の屋根１は、大別すると、図１に示すように、建屋の外壁Yに装設される垂木掛け部材２と屋根１全体を支持するテラス等に立設される柱３、３と、該垂木掛け部材の前方に平行状に横架される前枠部材４と、前記垂木掛け部材２と前枠部材４との両端部間に掛装される両側の妻垂木部材５、５と、該両側の妻垂木部材５、５間における前記垂木掛け部材２と前枠部材４との間に等間隔で掛装される複数本（図では３本の場合を示す。）の中間垂木部材６〜６と、前記垂木掛け部材２と前枠部材４と妻垂木部材５と中間垂木部材６とで形成される枠内空間Ｓ１（矩形状の空間）または同様に垂木掛け部材２と前枠部材４と各中間垂木部材６、６とで形成される枠内空間Ｓ２（矩形状の空間）に配設される複数個（図では４枚の場合を示す。）の屋根部材７〜７とから構成されている。なお、垂木掛け部材２、柱３、前枠部材４、妻垂木部材５、中間垂木部材６はそれぞれアルミ材から押し出し形成されており、屋根部材７は合成樹脂製のパネル体から構成されるとともに、先端部が若干下方に曲がった湾曲状に形成されている。この場合、屋根部材７の先端部は直線状であってもよい。
【００１４】
前記垂木掛け部材２は、図１及び図２に示すように、屋根１の間口方向の長さを決定する長さの長尺物でかつ縦断面ほぼコ字状に形成されて施工時に前記建屋の外壁Ｙに対してボルトＢ着される立片２ａと、該立片２の上下から前方に延出されて前記妻垂木部材５及び中間垂木部材６を受け止める第１の受け凹部８を形成する上下の受け片２ｂ、２ｃと、該上の受け片２ｂの下部において前方に延出されて該上の受け片２ｂとにより前記屋根部材７を受け止める第２の受け凹部９を形成する中間の受け片２ｄとが備えられている。そして、前記上の受け片２ｂの先端部は後述する屋根押え部材を受け止める第３の受け凹部１０を形成する段差部１１が形成され、その内側寄りに取付けられる屋根部材７の上面に圧接されるゴム等のシール部材１２が取付けられている。なお、前記立片２ａ、第１の受け凹部８、上下の受け片２ｂ、２ｃ、第２の受け凹部９、中間の受け片２ｄ、第３の受け凹部１０、段差部１１のそれぞれは、その長さ方向に沿って形成され、シール部材１２も同様にその長さ方向に沿って取付けられるものである。
【００１５】
前記前枠部材４は、図１及び図２に示すように、前記垂木掛け部材２とほぼ等しい長さ（異なる長さの場合でもよい）の長尺物でかつ縦断面ほぼＬ字状に形成されてその水平片４ａと、湾曲状の立片４ｂと、該水平片４ａの開放部側において該水平片４ａの先端部との間で前記妻垂木部材５及び中間垂木部材６を受け止める第４の受け凹部１３ａを形成するほぼく形状の立上げ受け片４ｃとが備えられている。そして、水平片４ａと湾曲状の立片４ｂと立上げ受け片４ｃとで形成される空間部が雨水を受ける樋部４ｄとなしている。また、立上げ受け片４ｃの上端面の一部には前記屋根部材７の前端部を係止する後述の前端押え部材１３を取付ける取付け部１４となしている。なお、水平片４ａ、立片４ｂ、第４の受け凹部１３、立上げ受け片４ｃ、樋部４ｄ、取付け部１４のそれぞれは、その長さ方向に沿って形成されるものである。
【００１６】
前記両側の妻垂木部材５、５は、図１及び図３に示すように、屋根１の出幅方向の長さを決定する長さの長尺物でかつ縦断面ほぼロ字状に形成され、その上面のほほ中央部位にはその長さ方向に沿って所定の間隔で後述する屋根押え部材１６を取付け固定する固定部１５が形成されるとともに、該固定部１５を挟んで外側（図３では左側）の上面には該屋根押え部材１６を支持する支持片５ａが突設され、内側（図３では右側）の上面隅部には屋根部材７の下面に圧接されるビート部材１７を取付けた上部開放の横Ｃチャンネル形状の取付け部５ｂが形成されている。なお、妻垂木部材５、５長さ方向の先端部は若干下方に曲がった湾曲状に形成されており、支持片５ａ、取付け部５ｂのそれぞれは、その長さ方向に沿って形成されるものである。この場合、妻垂木部材５、５の先端部は直線状であってもよい。
【００１７】
前記妻垂木部材５、５の間に位置される中間垂木部材６〜６は、図１及び図４に示すように、それぞれ妻垂木部材５の長さとほぼ等しい長さの長尺物でかつ縦断面ほぼロ字状に形成され、その幅方向の左右に２分割されて幅広の一方側の中間垂木部材６Ａと幅狭の他方側の中間垂木部材６Ｂとなしており、この一方側の中間垂木部材６Ａ上面の全体形状としてのほほ中央部位にはその長さ方向に沿って所定の間隔で後述する屋根押え部材１６を取付け固定する固定部１８が形成されかつその上面隅部には屋根部材７の下面に圧接されるビート部材１７を取付けた上部開放の横Ｃチャンネル形状の取付け部１９が形成されており、他方側の中間垂木部材６Ｂの上面隅部には屋根部材７の下面に圧接されるビート部材１７を取付けた上部開放の横Ｃチャンネル形状の取付け部２０が形成されている。そして、一方側の中間垂木部材６Ａと他方側の中間垂木部材６Ｂとの分割面において、一方側の中間垂木部材６Ａには段差凹部２１が形成され、他方側の中間垂木部材６Ｂには該段差凹部２１に嵌合される段差凸部２２が形成されていて、その施工時において段差凹部２１に段差凸部２２を嵌合してビス２３等により一体状に固定されるものである。
なお、一方側及び他方側の中間垂木部材６Ａ、６Ｂの長さ方向の先端部は若干下方に曲がった湾曲状に形成されており、取付け部１９、２０、段差凹部２１、段差凸部２２のそれぞれは、その長さ方向に沿って形成されるものである。この場合、一方側及び他方側の中間垂木部材６Ａ、６Ｂの先端部は直線状であってもよい。
【００１８】
そして、屋根押え部材１６は、図１及び図４に示すように、前記妻垂木部材５及び中間垂木部材６とほぼ等しい長さの平板状に形成され、前記妻垂木部材５に固定される屋根押え部材１６Ａにおいては、その内側下面隅部には屋根部材７の上面に圧接されるビート部材１７を取付けた上部開放の横Ｃチャンネル形状の取付け部２４が形成されており、中間垂木部材６に固定される屋根押え部材１６Ｂにおいては、その下面両側隅部には屋根部材７の上面に圧接されるビート部材１７を取付けた上部開放の横Ｃチャンネル形状の取付け部２５、２５が形成されている。
【００１９】
続いて、上記のように構成された各部材を使用してテラス用の屋根１、例えば、図１に示すように、屋根部材７〜７が４枚に分割されて１つの屋根を構成する態様の場合における施工の一例について説明すると、まず、図１及び図２に示すように、垂木掛け部材２を、建屋の外壁Ｙに対してその立片２ａをボルトＢ着して水平状態に固定する。
【００２０】
その後、垂木掛け部材２の両端部において妻垂木部材５、５の後端部を第１の受け凹部８に嵌合して定置するとともに、２本の一方側の中間垂木部材６Ａを等間隔に配置して該妻垂木部材５、５と同様にしてその後端部を第１の受け凹部８に嵌合して定置する。この場合、図１に示すように、妻垂木部材５、５及び２本の一方側の中間垂木部材６Ａはテラス等に立設される柱３、３及び該柱３、３間に横架された支持部材により支持されるものである。
【００２１】
次いで、前記妻垂木部材５、５及び３本の一方側の中間垂木部材６Ａのそれぞれの先端部に前枠部材４を、その第３の受け凹部１０を嵌合して取付ける。この状態において、屋根１の４つに分割された枠組みが形成される。なお、この場合においては、屋根１が４つに分割枠組みされるものであるから、図５に示すように、後述する矩形状空間Ａ形成する１本の中間垂木部材６は左右に分割されていないものを使用するものであり、その構造は分割構成を除き同様な形態に構成されている。
【００２２】
そして、４つに分割された枠組みの内、垂木掛け部材２と前枠部材４と妻垂木部材５と左右に分割されていない中間垂木部材６と、垂木掛け部材２と前枠部材４と妻垂木部材５と一方側の中間垂木部材６Ａとで形成される枠内空間Ｓ１（矩形状の空間）（図では、便宜的にＡ、Ｂとする）に対し、その妻垂木部材５と中間垂木部材６及び一方側の中間垂木部材６Ａのそれぞれの上面及び前枠部材４に屋根部材７、７の両端部及び先端を載置するとともに、後端部を第２の受け凹部９に嵌合して、妻垂木部材５側の屋根押え部材１６Ａ及び一方側の中間垂木部材６Ａ側の屋根押え部材１６Ｂを上方から載置して妻垂木部材５と前記中間垂木部材６と一方側の中間垂木部材６Ａとの固定部１５、１８に対してそれぞれビス２６等により締付け固定する。なお、屋根部材７の先端部は、前枠部材４に対して前端押え部材１３によって固定される。この場合は、妻垂木部材５側の屋根押え部材１６Ａ、中間垂木部材６側の屋根押え部材１６Ｂの上方から固定は他の枠内空間Ｓ２を利用する、すなわち、屋根の内側において行うことができる。
【００２３】
そして、前記４つに分割された枠組みの内、垂木掛け部材２と前枠部材４と前記左右に分割されていない中間垂木部材６と左右に分割された中間垂木部材６及び垂木掛け部材２と前枠部材４と左右に分割された各中間垂木部材６、６とで形成される枠内空間Ｓ２（矩形状の空間）（図では、便宜的にＣまたはＤとする）に屋根部材７を下方から位置させて、その相対向する中間垂木部材６と一方側の中間垂木部材６Ａ及び両一方側の中間垂木部材６Ａ間の上面、さらに前枠部材４に屋根部材７、７の両端部及び先端部を載置するとともに、後端部を第２の受け凹部９に嵌合する。この場合、屋根部材７の両端部は前記妻垂木部材５側の屋根押え部材１６Ａと一方側の中間垂木部材６Ａ側の屋根押え部材１６Ｂとの下方に位置されている。
【００２４】
そこで、他方側の中間垂木部材６Ｂを前記一方側の中間垂木部材６Ａと同様に、垂木掛け部材２の第１受け凹部８と前枠部材４の第３の受け凹部１０に他方側の中間垂木部材６Ｂに掛装（予め掛装しておいてもよい）し、この他方側の中間垂木部材６Ｂを一方側の中間垂木部材６Ａに移動してその段差凹部２１に段差凸部２２を嵌合して両者をビス２３等により一体状に固定する。
【００２５】
この状態において、屋根部材７を他方側の中間垂木部材６Ｂと中間垂木部材６Ａ側の屋根押え部材１６Ｂとにより上下方向から挟持した状態で挟持して固定することができる。そして、この作業は屋根の内側において行うことができる。
【００２６】
このように、本実施例にあっては、複数枚の屋根部材７を組合わせて構成される屋根１にあっては、その１枚分の屋根部材７に対応する箇所の中間垂木部材６Ａ、６Ｂのみを左右に分割して構成することにより、該箇所に対応する屋根部材７の取付け固止を、前記のようにして下方内側から施工し得，屋根全体の構造を大幅に変えることなく、価格増の抑制を図ることができる。作業の安全性及び作業性の良化向上を図ることができる。
【００２７】
上記した実施例においては、相対向する中間垂木部材６どうしを２分割した構成としたが、妻垂木部材５とこれに対向する中間垂木部材６を２分割する構成としてもよい。
【００２８】
また、一方側の中間垂木部材６Ａの段差凹部２１と、他方側の中間垂木部材６Ｂの段差凸部２２とを嵌合して他方側の垂木部材の下方側への移動を規制するように構成したが、この移動を規制する手段は段差部に限定するものではない。
【図面の簡単な説明】
【００２９】
【図１】本実施例におけるテラス用の屋根を略示する斜視図である。
【図２】垂木掛け部材と妻垂木部材（中間垂木部材）の取付けを示す断面図である。
【図３】前枠部材と妻垂木部材（中間垂木部材）の取付けを示す断面図である。
【図４】妻垂木部材及び中間垂木部材の取付け状態を示す断面図である。
【図５】妻垂木部材及び中間垂木部材の配置を示す説明図である。
【符号の説明】
【００３０】
１  テラス用の屋根
２  垂木掛け部材
４  前枠部材
５  妻垂木部材
６  中間垂木部材
６Ａ  一方側の中間垂木部材
６Ｂ  他方側の中間垂木部材
７  屋根部材
【図１】
2005256554.tif 000003
【図２】
2005256554.tif 000004
【図３】
2005256554.tif 000005
【図４】
2005256554.tif 000006
【図５】
2005256554.tif 000007